(57)【要約】【課題】床下空間の冷たい空気を利用して、居室空間の温度を効果的に低下させる。【解決手段】床下空間４の空気を居室空間１６に供給する給気手段２６、及び、居室空間１６の空気を屋外Ｓｏに排気する排気手段２７を含む換気手段２４を具えた建物の空調システムである。空調システムは、床下空間４の温度と、居室空間１６の温度とに基づいて、給気手段２６及び排気手段２７を制御する制御手段４３を含む。制御手段４３は、居室空間１６の温度が第１設定温度より高く、かつ、床下空間４の温度が第１設定温度よりも低い第２設定温度以下である場合、給気手段２６の給気量を増加させ、床下空間４からより多くの空気を居室空間１６に供給する床下空気利用工程Ｓ３を実施する。【選択図】図２
2015068546.tif 000002
【特許請求の範囲】
【請求項１】
基礎と１階の床との間で区画された床下空間の空気を居室空間に供給する給気手段、及び
前記居室空間の空気を屋外に排気する排気手段を含む換気手段を具えた建物の空調システムであって、
前記床下空間の温度を検知する床下温度検知手段、
前記居室空間の温度を検知する居室温度検知手段、並びに
前記床下空間の温度と、前記居室空間の温度とに基づいて、前記給気手段及び前記排気手段を制御する制御手段を含み、
前記制御手段は、前記居室空間の温度が予め定められた第１設定温度よりも高いか否かを判断する第１判断工程と、
前記床下空間の温度が、前記第１設定温度よりも低い第２設定温度以下であるか否かを判断する第２判断工程とを実施し、
前記居室空間の温度が前記第１設定温度より高く、かつ、前記床下空間の温度が第２設定温度以下である場合、前記給気手段の給気量を増加させ、前記床下空間からより多くの空気を前記居室空間に供給する床下空気利用工程を実施することを特徴とする建物の空調システム。
【請求項２】
前記居室空間は、２階の居室空間である請求項１に記載の建物の空調システム。
【請求項３】
前記排気手段は、１階の居室空間の空気を主体的に排気する１階の排気手段と、前記２階の居室空間の空気を主体的に排気する２階の排気手段とを含み、
前記１階の居室空間と、前記１階の排気手段との間には、前記１階の居室空間に隣接する１階の非居室空間を具え、
前記２階の居室空間と、前記２階の排気手段との間には、前記１階の非居室空間と連通し、かつ、前記２階の居室空間に隣接する２階の非居室空間を具え、
前記制御手段は、前記第１判断工程及び前記第２判断工程において、前記２階の居室空間の温度が前記第１設定温度より高く、かつ、前記床下空間の温度が前記第２設定温度よりも高い場合、前記１階の居室空間の温度が前記第２設定温度以下であるか否かを判断する第３判断工程を実施し、
前記１階の居室空間の温度が前記第２設定温度以下である場合、前記１階の排気手段の排気を停止し、かつ、前記２階の排気手段の排気を行うことにより、前記１階の居室空間の空気を、前記１階の非居室空間を介して、前記２階の非居室空間に供給する１階居室空気利用工程を実施する請求項２に記載の建物の空調システム。
【請求項４】
前記床下空気利用工程の開始から予め定められた第１冷却時間が経過する前に、前記制御手段が、前記第１冷却時間経過後の前記２階の居室空間の温度を予測する工程を含み、
予測された前記２階の居室空間の温度が、前記第１設定温度よりも高い場合、前記第３判断工程を実施する請求項３記載の建物の空調システム。
【請求項５】
前記制御手段は、前記第１冷却時間が経過した後において、前記２階の居室空間の温度が前記第１設定温度よりも高い場合、前記第３判断工程を実施する請求項４に記載の建物の空調システム。
【請求項６】
前記２階の非居室空間の空気を、小屋裏を介して屋外に排気する小屋裏排気手段を含み、
前記制御手段は、前記第３判断工程において、前記１階の居室空間の温度が前記第２設定温度よりも高い場合、外気の温度が前記第２設定温度以下であるか否かを判断する第４判断工程を実施し、
前記外気の温度が前記第２設定温度以下である場合、前記小屋裏排気手段による排気を行うことにより、建物の隙間又は／及び開口部から、前記２階の非居室空間に外気を供給する外気利用工程を実施する請求項３乃至５のいずれかに記載の建物の空調システム。
【請求項７】
前記１階居室空気利用工程の開始から予め定められた第２冷却時間が経過する前に、前記制御手段が、前記第２冷却時間経過後の前記２階の居室空間の温度を予測する工程を含み、
予測された前記２階の居室空間の温度が、前記第１設定温度よりも高い場合、前記第４判断工程を実施する請求項６記載の建物の空調システム。
【請求項８】
前記制御手段は、前記第２冷却時間が経過した後において、前記２階の居室空間の温度が前記第１設定温度よりも高い場合、前記第４判断工程を実施する請求項７に記載の建物の空調システム。
【請求項９】
前記２階の居室空間を冷房可能な空調装置をさらに具え、
前記制御手段は、前記第４判断工程において、前記外気の温度が前記第２設定温度よりも高い場合、前記空調装置を運転させて前記２階の居室空間を冷房する空調装置利用工程を実施する請求項６乃至８のいずれかに記載の建物の空調システム。
【請求項１０】
前記外気利用工程の開始から予め定められた第３冷却時間が経過する前に、前記制御手段が、前記第３冷却時間経過後の前記２階の居室空間の温度を予測する工程を含み、
予測された前記２階の居室空間の温度が、前記第１設定温度よりも高い場合、前記空調装置利用工程を実施する請求項９記載の建物の空調システム。
【請求項１１】
前記制御手段は、前記第３冷却時間が経過した後において、前記２階の居室空間の温度が前記第１設定温度よりも高い場合、前記空調装置利用工程を実施する請求項１０記載の建物の空調システム。
【発明の詳細な説明】
【技術分野】
【０００１】
本発明は、床下空間の冷たい空気を利用して、居室空間の温度を効果的に低下させうる建物の空調システムに関する。
【背景技術】
【０００２】
従来、居室空間での熱中症を防ぐために、居室空間の温度を調整する空調システムが提案されている。この種の空調システムでは、冷房可能なエアコンが運転されることによって、居室空間の温度が調節されている。
【先行技術文献】
【特許文献】
【０００３】
【特許文献１】特開２０１２−２６６５２号公報
【発明の概要】
【発明が解決しようとする課題】
【０００４】
上記のような空調システムは、居室空間の温度を所定の温度に維持するために、エアコンを長時間運転する必要がある。このため、上記のような空調システムでは、ランニングコストが増大しやすいという問題があった。
【０００５】
本発明は、以上のような実状に鑑み案出されたもので、第１設定温度よりも高い居室空間に、第２設定温度以下の床下空間の冷たい空気を供給することを基本として、居室空間の温度を効果的に低下させうる建物の空調システムを提供することを主たる目的としている。
【課題を解決するための手段】
【０００６】
本発明は、基礎と１階の床との間で区画された床下空間の空気を居室空間に供給する給気手段、及び、前記居室空間の空気を屋外に排気する排気手段を含む換気手段を具えた建物の空調システムであって、前記床下空間の温度を検知する床下温度検知手段、前記居室空間の温度を検知する居室温度検知手段、並びに前記床下空間の温度と、前記居室空間の温度とに基づいて、前記給気手段及び前記排気手段を制御する制御手段を含み、前記制御手段は、前記居室空間の温度が予め定められた第１設定温度よりも高いか否かを判断する第１判断工程と、前記床下空間の温度が、前記第１設定温度よりも低い第２設定温度以下であるか否かを判断する第２判断工程とを実施し、前記居室空間の温度が前記第１設定温度より高く、かつ、前記床下空間の温度が第２設定温度以下である場合、前記給気手段の給気量を増加させ、前記床下空間からより多くの空気を前記居室空間に供給する床下空気利用工程を実施することを特徴とする。
【０００７】
本発明に係る前記建物の空調システムにおいて、前記居室空間は、２階の居室空間であるのが望ましい。
【０００８】
本発明に係る前記建物の空調システムにおいて、前記排気手段は、１階の居室空間の空気を主体的に排気する１階の排気手段と、前記２階の居室空間の空気を主体的に排気する２階の排気手段とを含み、前記１階の居室空間と、前記１階の排気手段との間には、前記１階の居室空間に隣接する１階の非居室空間を具え、前記２階の居室空間と、前記２階の排気手段との間には、前記１階の非居室空間と連通し、かつ、前記２階の居室空間に隣接する２階の非居室空間を具え、前記制御手段は、前記第１判断工程及び前記第２判断工程において、前記２階の居室空間の温度が前記第１設定温度より高く、かつ、前記床下空間の温度が前記第２設定温度よりも高い場合、前記１階の居室空間の温度が前記第２設定温度以下であるか否かを判断する第３判断工程を実施し、前記１階の居室空間の温度が前記第２設定温度以下である場合、前記１階の排気手段の排気を停止し、かつ、前記２階の排気手段の排気を行うことにより、前記１階の居室空間の空気を、前記１階の非居室空間を介して、前記２階の非居室空間に供給する１階居室空気利用工程を実施するのが望ましい。
【０００９】
本発明に係る前記建物の空調システムにおいて、前記床下空気利用工程の開始から予め定められた第１冷却時間が経過する前に、前記制御手段が、前記第１冷却時間経過後の前記２階の居室空間の温度を予測する工程を含み、予測された前記２階の居室空間の温度が、前記第１設定温度よりも高い場合、前記第３判断工程を実施するのが望ましい。
【００１０】
本発明に係る前記建物の空調システムにおいて、前記制御手段は、前記第１冷却時間が経過した後において、前記２階の居室空間の温度が前記第１設定温度よりも高い場合、前記第３判断工程を実施するのが望ましい。
【００１１】
本発明に係る前記建物の空調システムにおいて、前記２階の非居室空間の空気を、小屋裏を介して屋外に排気する小屋裏排気手段を含み、前記制御手段は、前記第３判断工程において、前記１階の居室空間の温度が前記第２設定温度よりも高い場合、外気の温度が前記第２設定温度以下であるか否かを判断する第４判断工程を実施し、前記外気の温度が前記第２設定温度以下である場合、前記小屋裏排気手段による排気を行うことにより、建物の隙間又は／及び開口部から、前記２階の非居室空間に外気を供給する外気利用工程を実施するのが望ましい。
【００１２】
本発明に係る前記建物の空調システムにおいて、前記１階居室空気利用工程の開始から予め定められた第２冷却時間が経過する前に、前記制御手段が、前記第２冷却時間経過後の前記２階の居室空間の温度を予測する工程を含み、予測された前記２階の居室空間の温度が、前記第１設定温度よりも高い場合、前記第４判断工程を実施するのが望ましい。
【００１３】
本発明に係る前記建物の空調システムにおいて、前記制御手段は、前記第２冷却時間が経過した後において、前記２階の居室空間の温度が前記第１設定温度よりも高い場合、前記第４判断工程を実施するのが望ましい。
【００１４】
本発明に係る前記建物の空調システムにおいて、前記２階の居室空間を冷房可能な空調装置をさらに具え、前記制御手段は、前記第４判断工程において、前記外気の温度が前記第２設定温度よりも高い場合、前記空調装置を運転させて前記２階の居室空間を冷房する空調装置利用工程を実施するのが望ましい。
【００１５】
本発明に係る前記建物の空調システムにおいて、前記外気利用工程の開始から予め定められた第３冷却時間が経過する前に、前記制御手段が、前記第３冷却時間経過後の前記２階の居室空間の温度を予測する工程を含み、予測された前記２階の居室空間の温度が、前記第１設定温度よりも高い場合、前記空調装置利用工程を実施するのが望ましい。
【００１６】
本発明に係る前記建物の空調システムにおいて、前記制御手段は、前記第３冷却時間が経過した後において、前記２階の居室空間の温度が前記第１設定温度よりも高い場合、前記空調装置利用工程を実施するのが望ましい。
【発明の効果】
【００１７】
本発明の建物の空調システムは、基礎と１階の床との間で区画された床下空間の空気を居室空間に供給する給気手段と、前記居室空間の空気を屋外に排気する排気手段とを含む換気手段を具える。このような空調システムは、夏は冷たく、冬は暖かい床下空間の空気を利用して、居室空間を効果的に換気することができる。
【００１８】
さらに、本発明の建物の空調システムは、床下空間の温度を検知する床下温度検知手段、居室空間の温度を検知する居室温度検知手段、並びに、床下空間の温度と居室空間の温度とに基づいて、給気手段及び排気手段を制御する制御手段を具える。制御手段は、居室空間の温度が予め定められた第１設定温度より高いか否かを判断する第１判断工程と、床下空間の温度が、第１設定温度よりも低い第２設定温度以下であるか否かを判断する第２判断工程とを実施する。
【００１９】
制御手段は、居室空間の温度が第１設定温度よりも高く、かつ、床下空間の温度が第２設定温度以下である場合、給気手段の給気量を増加させ、床下空間からより多くの冷たい空気を前記居室空間に供給する床下空気利用工程を実施する。このように、本発明の空調システムは、第１設定温度よりも高温の居室空間に、第２設定温度以下の冷たい床下空間の空気を積極的に供給することができるため、換気を図りつつ、居室空間の温度を効果的に低下させることができる。従って、本発明の空調システムでは、エアコン等の空調装置の運転時間を短縮しつつ、居室空間を効果的に低下させることができるため、ランニングコストの増大を抑制することができる。
【図面の簡単な説明】
【００２０】
【図１】本実施形態の空調システムが用いられる建物の一例を示す断面図である。
【図２】本実施形態の空調システムの換気手段を示す断面図である。
【図３】本実施形態の制御手段の概念図である。
【図４】本実施形態の制御手順の一例を示すフローチャートである。
【図５】本実施形態の第３判断工程以降の制御手順の一例を示すフローチャートである。
【図６】本実施形態の第４判断工程以降の制御手順の一例を示すフローチャートである。
【図７】１階居室空気利用工程の作用を説明する断面図である。
【図８】外気利用工程の作用を説明する断面図である。
【図９】空調装置利用工程の作用を説明する断面図である。
【発明を実施するための形態】
【００２１】
以下、本発明の実施の一形態が図面に基づき説明される。
本実施形態の建物の空調システム（以下、単に「空調システム」ということがある）は、床下空間の冷たい空気を利用して、居室空間の温度を効果的に低下させるためのものである。この空調システムは、例えば、一般的な住宅やビル等の建物に用いることができる。
【００２２】
図１は、本実施形態の空調システムが用いられる建物Ｂの断面図である。図２は、本実施形態の空調システムの換気手段を示す断面図である。建物Ｂは、例えば、２階建ての住宅として構成されている。建物Ｂは、地面に固定される基礎２、該基礎２の上方で支持される１階の床３、及び、該基礎２と床３との間で区画される床下空間４を有している。
【００２３】
基礎２は、建物Ｂの外周に連続して配置されている。本実施形態の基礎２は、鉄筋コンクリート製の布基礎として構成されている。また、基礎２は、地中Ｇ内で水平にのびるベース部２ａと、該ベース部２ａの幅方向の略中央から上方へのび、かつ、地中Ｇから突出する立上がり部２ｂとを含んでいる。立上がり部２ｂの上面側には、例えば、土台（図示省略）を介して外壁６が固定されている。
【００２４】
床下空間４には、該床下空間４の底面をなす土間コンクリート７が敷設されている。この土間コンクリート７は、床下空間４の空気（以下、単に「床下空気」ということがある。）Ａｉ（図２に示す）と、一年を通して温度変化が小さい地中熱Ｈとを熱交換可能な熱交換部８として構成されている。このような床下空間４は、夏は冷たく、冬は暖かい床下空気Ａｉを蓄えることができる。
【００２５】
床下空間４には、屋外Ｓｏの新鮮な空気（以下、単に「外気」ということがある。）Ａｏを導入する取り入れ口９が設けられている。また、床下空間４には、例えば、土間コンクリート７に固定される束（図示省略）や、床３を支える大引き（図示省略）が配置されている。
【００２６】
さらに、床下空間４には、例えば、基礎２の立上がり部２ｂに沿って配置される基礎断熱材１１が設けられている。このような基礎断熱材１１は、基礎２を介して伝えられる外気Ａｏの熱を遮断することができる。従って、基礎断熱材１１は、床下空間４の温度変化を、効果的に小さくすることができる。なお、基礎断熱材１１には、例えば、耐熱性及び耐衝撃性に優れるポリスチレンフォーム、ウレタンフォーム、又は、フェノールフォーム等の板状体が採用されるのが望ましい。
【００２７】
本実施形態の建物Ｂには、外壁６で囲まれる空間に、間仕切り壁１４が設けられている。これにより、建物Ｂの空間は、居室空間１６及び非居室空間１７に区分される。
【００２８】
居室空間１６は、１階の居室空間１６ａと、２階の居室空間１６ｂとを含んでいる。また、非居室空間１７は、１階の非居室空間２１と、２階の非居室空間２２とを含んでいる。
【００２９】
１階の非居室空間２１は、例えば、１階の第１非居室空間２１ａ、及び、１階の居室空間１６ａと１階の第１非居室空間２１ａとの間に配置される１階の第２非居室空間２１ｂを含んで構成されている。１階の第１非居室空間２１ａとしては、トイレ、浴室又は洗面室が含まれる。また、１階の第２非居室空間２１ｂとしては、廊下又は階段が含まれる。この１階の第２非居室空間２１ｂは、１階の居室空間１６ａに隣接して設けられている。
【００３０】
２階の非居室空間２２も、１階の非居室空間２１と同様に、２階の第１非居室空間２２ａ、及び、２階の居室空間１６ｂと２階の第１非居室空間２２ａとの間に配置される２階の第２非居室空間２２ｂを含んで構成されている。２階の第１非居室空間２２ａとしては、トイレ、浴室又は洗面室が含まれる。また、２階の第２非居室空間２２ｂとしては、廊下又は階段が含まれる。この２階の第２非居室空間２２ｂは、２階の居室空間１６ｂに隣接して設けられている。また、本実施形態２階の第２非居室空間２２ｂは、１階の第２非居室空間２１ｂと、例えば、階段や吹き抜けを介して連通している。
【００３１】
間仕切り壁１４には、開閉可能な扉１９が設けられている。このような扉１９は、居住者が、居室空間１６又は非居室空間１７に出入りする際を除いて閉じることができる。従って、扉１９は、居住者のプライバシーを確保するのに役立つ。
【００３２】
本実施形態の扉１９には、居室空間１６又は非居室空間１７の空気を出し入れ可能な通気口２０が設けられている。本実施形態の通気口２０は、例えば、扉１９の下縁側に形成されている。これにより、建物Ｂの１階では、１階の居室空間１６ａ、１階の第１非居室空間２１ａ、及び、１階の第２非居室空間２１ｂを、空気Ａｒ（図２に示す）が通過可能に連通させることができる。また、建物Ｂの２階では、２階の居室空間１６ｂ、２階の第１非居室空間２２ａ、及び、２階の第２非居室空間２２ｂを、空気Ａｒ（図２に示す）が通過可能に連通させることができる。
【００３３】
図２に示されるように、本実施形態の空調システムは、建物Ｂの室内の空気を入れ替える換気手段２４が設けられている。本実施形態の換気手段２４は、給気手段２６及び排気手段２７を含んで構成されている。
【００３４】
本実施形態の給気手段２６は、居室空間１６と床下空間４とを連通する空気流路２９を含んでいる。本実施形態の空気流路２９は、床下空間４と２階の天井との間を上下にのびる本体部２９ａ、本体部２９ａと１階の居室空間１６ａとを連通する１階の分岐部２９ｂ、及び、本体部２９ａと２階の居室空間１６ｂとを連通する２階の分岐部２９ｃを含んでいる。本実施形態の空気流路２９は、ダクト（図示省略）、又は、間仕切り壁の内部空間で構成されている。
【００３５】
本体部２９ａには、床下空間４に連通する取り出し口が設けられている。１階の分岐部２９ｂは、１階の天井に沿って水平にのび、かつ、１階の居室空間１６ａの天井に設けられる吹き出し口に接続されている。２階の分岐部２９ｃは、１階の分岐部２９ｂと同様に、２階の天井に沿って水平にのび、かつ、２階の居室空間１６ｂの天井に設けられる吹き出し口に接続されている。さらに、本実施形態の給気手段２６には、例えば、床下空間４内を負圧にして、床下空気Ａｉを、１階の居室空間１６ａ及び２階の居室空間１６ｂに案内する送風手段３０が含まれている。
【００３６】
本実施形態の排気手段２７は、１階の排気手段３１と、２階の排気手段３２とを含んでいる。
【００３７】
本実施形態の１階の排気手段３１は、１階の第１非居室空間２１ａに設けられている。１階の排気手段３１は、１階の第１非居室空間２１ａと屋外Ｓｏとを連通する開口部（図示省略）と、この開口部に設けられる送風手段３１ａとを含んで構成されている。送風手段３１ａは、１階の第１非居室空間２１ａ内を負圧にするものである。このような１階の排気手段３１は、１階の第１非居室空間２１ａの空気Ａｒを、屋外Ｓｏに排気することができる。
【００３８】
本実施形態の２階の排気手段３２は、２階の第１非居室空間２２ａに設けられている。２階の排気手段３２は、１階の排気手段３１と同様に、２階の第１非居室空間２２ａと屋外Ｓｏとを連通する開口部（図示省略）と、２階の第１非居室空間２２ａ内を負圧にする送風手段３２ａとを含んで構成されている。送風手段３２ａは、２階の第１非居室空間２２ａ内を負圧にするものである。このような２階の排気手段３２は、２階の第１非居室空間２２ａの空気Ａｒを、屋外Ｓｏに排気することができる。
【００３９】
本実施形態の換気手段２４では、先ず、送風手段３０によって、床下空気Ａｉ（図２に示す）が、給気手段２６の本体部２９ａに案内される。次に、本体部２９ａに案内された床下空気Ａｉは、本体部２９ａから１階の分岐部２９ｂ及び２階の分岐部２９ｃのそれぞれに案内される。１階の分岐部２９ｂに案内された床下空気Ａｉは、１階の吹き出し口を介して１階の居室空間１６ａに供給される。また、２階の分岐部２９ｃに案内された床下空気Ａｉは、２階の吹き出し口を介して２階の居室空間１６ｂに供給される。
【００４０】
このように、給気手段２６は、夏は冷たく、冬は暖かい床下空気Ａｉを、１階の居室空間１６ａ及び２階の居室空間１６ｂに供給することができる。このような床下空気Ａｉは、例えば、１階の居室空間１６ａ及び２階の居室空間１６ｂを初期空調するのに役立つ。
【００４１】
１階の居室空間１６ａは、床下空気Ａｉの給気によって正圧状態となる。一方、１階の排気手段３１は、１階の第１非居室空間２１ａの空気Ａｒを排気するため、１階の第１非居室空間２１ａが負圧状態となる。このため、１階の居室空間１６ａの空気Ａｒは、通気口２０（図１に示す）を介して、１階の第２非居室空間２１ｂ、及び、１階の第１非居室空間２１ａに供給される。従って、本実施形態の換気手段２４では、１階の居室空間１６ａの空気Ａｒが、１階の排気手段３１によって主体的に排気される。
【００４２】
２階の居室空間１６ｂは、床下空気Ａｉの供給によって正圧状態となる。一方、２階の第１非居室空間２２ａは、２階の排気手段３２によって、負圧状態となる。このため、２階の居室空間１６ｂの空気Ａｒは、通気口２０を介して、２階の第２非居室空間２２ｂ、及び、２階の第１非居室空間２２ａに供給される。従って、本実施形態の換気手段２４では、２階の居室空間１６ｂの空気Ａｒが、２階の排気手段３２によって主体的に排気される。
【００４３】
本実施形態では、１階の第２非居室空間２１ｂと２階の第２非居室空間２２ｂとが連通している。このため、１階の居室空間１６ａの空気Ａｒの一部は、１階の第２非居室空間２１ｂ、２階の第２非居室空間２２ｂ、及び、２階の第１非居室空間２２ａに案内され、２階の排気手段３２によって排気される。また、２階の居室空間１６ｂの空気Ａｒの一部は、２階の第２非居室空間２２ｂ、１階の第２非居室空間２１ｂ、及び、１階の第１非居室空間２１ａに案内され、２階の排気手段３２によって排気される。
【００４４】
このように、換気手段２４は、給気と排気とを機械的に実施する第１種換気方式として構成される。本実施形態の換気手段２４は、居室空間１６及び非居室空間１７を含む建物全体に、床下空気Ａｉを循環させ、効果的に換気することができる。
【００４５】
換気手段２４を用いた通常換気において、給気手段２６の給気量及び排気手段２７の排気量は、建物Ｂに必要な換気回数（例えば、０．５回／ｈ）に基づいて設定される。なお、本明細書において、給気量は、給気手段２６が複数存在する場合、全ての給気手段２６を含んだ総給気量である。排気量は、給気量と同様に、排気手段２７が複数存在する場合、全ての排気手段２７を含んだ総排気量である。
【００４６】
図２に示されるように、本実施形態の換気手段２４は、小屋裏排気手段３５をさらに含んでいる。小屋裏排気手段３５は、２階の第２非居室空間２２ｂの天井と、建物Ｂの外壁６との間をのびる本体部３５ａと、本体部３５ａに設けられる送風手段３５ｂとを含んでいる。送風手段３５ｂは、２階の第２非居室空間２２ｂ内を負圧にするものである。
【００４７】
このような小屋裏排気手段３５は、２階の第２非居室空間２２ｂの空気Ａｒ（図２に示す）を、小屋裏３４を介して屋外Ｓｏに排気することができる。また、２階の第２非居室空間２２ｂは、その内部が負圧になるため、建物Ｂの隙間や開口部から外気Ａｏが供給される。これにより、小屋裏排気手段３５は、２階の第２非居室空間２２ｂを効果的に換気することができる。
【００４８】
本実施形態の空調システムは、居室空間１６を冷房するための空調装置３６を含んでいる。空調装置３６は、１階の居室空間１６ａに設けられる１階の空調装置３６ａと、２階の居室空間１６ｂに設けられる２階の空調装置３６ｂとを含んでいる。これらの空調装置３６ａ、３６ｂとしては、エアコン（エア・コンディショナー）である場合が例示されるが、居室空間１６を冷房できるものであれば、これに限定されるわけではない。例えば、空調装置３６としては、冷水パネルなどの輻射冷房機器等でもよい。
【００４９】
図１に示されるように、本実施形態の空調システムは、床下温度検知手段４１、居室温度検知手段４２、外気温度検知手段４４、並びに、給気手段２６及び排気手段２７を制御する制御手段４３を含んでいる。図３は、本実施形態の制御手段４３の概念図である。
【００５０】
図１及び図３に示されるように、床下温度検知手段４１は、温度センサーからなる。本実施形態の床下温度検知手段４１は、床下空間４内に配置されている。また、床下温度検知手段４１は、制御手段４３に接続されている。これにより、床下温度検知手段４１は、検知した床下空間４の温度を、制御手段４３に伝達することができる。なお、床下温度検知手段４１は、外気Ａｏを導入する取り入れ口９から遠ざけて配置されるのが望ましい。これにより、床下温度検知手段４１は、外気Ａｏの影響を受けるのを抑制でき、床下空間４の温度を正確に測定することができる。
【００５１】
居室温度検知手段４２も、床下温度検知手段４１と同様に、温度センサーからなる。本実施形態の居室温度検知手段４２は、１階の居室空間１６ａに配置される１階の居室温度検知手段４２ａと、２階の居室空間１６ｂに配置される２階の居室温度検知手段４２ｂとを含んでいる。これにより、１階の居室温度検知手段４２ａ及び２階の居室温度検知手段４２ｂは、１階の居室空間１６ａの温度及び２階の居室空間１６ｂの温度をそれぞれ検知することができる。
【００５２】
１階の居室温度検知手段４２ａ及び２階の居室温度検知手段４２ｂは、制御手段４３に接続されている。これにより１階の居室温度検知手段４２ａ及び２階の居室温度検知手段４２ｂは、検知した１階の居室空間１６ａの温度及び２階の居室空間１６ｂの温度を、制御手段４３に伝達することができる。なお、１階の居室温度検知手段４２ａ及び２階の居室温度検知手段４２ｂは、例えば、１階の空調装置３６ａ、及び、２階の空調装置３６ｂに内蔵されている温度センサー（図示省略）で代用してもよい。
【００５３】
外気温度検知手段４４も、床下温度検知手段４１と同様に、温度センサーからなる。本実施形態の外気温度検知手段４４は、床下空間４の取り入れ口９側に配置されている。これにより、外気温度検知手段４４は、日射や風等の影響を受けるのを防ぐことができるため、外気Ａｏの温度を正確に検知することができる。さらに、外気温度検知手段４４は、日射、風及び雨等に直接曝されるのを防ぐことができるため、耐久性を向上しうる。なお、外気温度検知手段４４は、このような態様に限定されるわけではなく、例えば、外壁６に配置されてもよい。また、外気温度検知手段４４は、制御手段４３に接続されている。これにより、外気温度検知手段４４は、検知した外気Ａｏの温度を、制御手段４３に伝達することができる。
【００５４】
本実施形態の制御手段４３は、例えば、間仕切り壁１４等に設置されている。図３に示されるように、制御手段４３は、ＣＰＵ（中央演算装置）からなる演算部４６と、制御手順が予め記憶されている記憶部４７と、記憶部４７から制御手順を読み込む作業用メモリ４８とを含んで構成されている。
【００５５】
図２及び図３に示されるように、演算部４６には、給気手段２６の送風手段３０、１階の排気手段３１の送風手段３１ａ、及び、２階の排気手段３２の送風手段３２ａが接続されている。さらに、演算部４６には、小屋裏排気手段３５の送風手段３５ｂが接続されている。これにより、演算部４６は、例えば、各送風手段３０、３１ａ、３２ａ及び３５ｂに信号を伝達して、給気手段２６の給気量、排気手段２７の排気量、及び、小屋裏排気手段３５の排気量の変更や、給気手段２６、排気手段２７及び小屋裏排気手段３５の給排気を停止することができる。
【００５６】
また、本実施形態の演算部４６には、１階の空調装置３６ａ及び２階の空調装置３６ｂが接続されている。これにより、演算部４６は、１階の空調装置３６ａ及び２階の空調装置３６ｂの運転を制御することができる。
【００５７】
図４は、制御手順の一例を示すフローチャートである。図５は、第３判断工程以降の制御手順の一例を示すフローチャートである。図６は、第４判断工程以降の制御手順の一例を示すフローチャートである。
【００５８】
制御手順は、居室空間１６の温度が第１設定温度以下になるように、床下空間４の冷たい空気Ａｉを利用して、居室空間１６の温度を効果的に低下させるための手順である。本実施形態の制御手順では、居住者の不在（空調装置の停止状態）により、日中に高温になりがちな２階の居室空間１６ｂの温度を低下させている。
【００５９】
本実施形態では、先ず、制御手段４３によって、２階の居室空間１６ｂの温度が予め定められた第１設定温度より高いか否かが判断される（第１判断工程Ｓ１）。第１設定温度としては、適宜設定することができるが、例えば、２階の居室空間１６ｂでの熱中症を防止する観点より、３０℃〜３５℃（本実施形態では、３２℃）が設定されるのが望ましい。
【００６０】
２階の居室空間１６ｂの温度が、第１設定温度（本実施形態では、３２℃）より高いと判断された場合（第１判断工程Ｓ１で「Ｙ」）、２階の居室空間１６ｂの温度を低下させる必要がある。このため、次の第２判断工程Ｓ２が実施される。一方、２階の居室空間１６ｂの温度が、第１設定温度以下であると判断された場合（第１判断工程Ｓ１で「Ｎ」）、２階の居室空間１６ｂの温度を低下させる必要がない。このため、本実施形態では、制御手順に基づく処理が終了する。
【００６１】
次に、制御手段４３は、床下空間４の温度が、第２設定温度以下であるか否かを判断する（第２判断工程Ｓ２）。第２設定温度は、第１設定温度（本実施形態では、３２℃）よりも低い温度であれば適宜設定することができるが、床下空気Ａｉを利用して、２階の居室空間１６ｂの温度を効果的に低下させる観点より、２６℃〜３０℃（本実施形態では、２８℃）が設定されるのが望ましい。
【００６２】
床下空間４の温度が、第２設定温度（本実施形態では、２８℃）以下であると判断された場合（第２判断工程Ｓ２で「Ｙ」）、冷たい床下空気Ａｉを利用する床下空気利用工程Ｓ３が実施される。一方、床下空間４の温度が、第２設定温度よりも高いと判断された場合（第２判断工程Ｓ２で「Ｎ」）、床下空気Ａｉを利用しても、２階の居室空間１６ｂの温度を十分低下させることができない。この場合、制御手段４３は、後述する第３判断工程Ｓ９を実施する。
【００６３】
次に、図２に示されるように、制御手段４３は、給気手段２６の給気量を増加させ、床下空間４からより多くの空気Ａｉを２階の居室空間１６ｂに供給する（床下空気利用工程Ｓ３）。床下空気利用工程Ｓ３では、制御手段４３が、給気手段２６の給気量を、前記通常換気の給気量よりも増加させている。
【００６４】
第１判断工程Ｓ１及び第２判断工程Ｓ２での判断により、床下空間４の温度は、２階の居室空間１６ｂの温度よりも低い第２設定温度（本実施形態では、２８℃）以下である。このため、床下空気利用工程Ｓ３では、第１設定温度（本実施形態では、３２℃）よりも高い２階の居室空間１６ｂに、第２設定温度以下の冷たい床下空気Ａｉを積極的に供給することができる。これにより、本実施形態の空調システムでは、２階の居室空間１６ｂの換気を図りつつ、２階の居室空間１６ｂの温度を効果的に低下させることができる。従って、本実施形態の空調システムでは、居住者の不在（空調装置の停止状態）により、日中に高温になりがちな２階の居室空間１６ｂの温度を低下させることができ、熱中症を効果的に防ぐことができる。
【００６５】
また、本発明の空調システムでは、２階の空調装置３６ｂを運転させなくても、２階の居室空間１６ｂの温度を効果的に低下させることができるため、ランニングコストの増大を抑制することができる。
【００６６】
さらに、本実施形態では、１階の居室空間１６ａにも床下空気Ａｉが積極的に供給されるため、１階の居室空間１６ａの温度を効果的に低下させることができる。従って、空調システムでは、１階の空調装置３６ａのランニングコストを大幅に抑制することができる。
【００６７】
上記のような作用を効果的に発揮させるために、給気手段２６の給気量は、例えば、前記通常換気の給気量の１．１倍〜２．０倍に設定されるのが望ましい。なお、給気手段２６の給気量が、前記通常換気の給気量の１．１倍未満であると、床下空気Ａｉを、２階の居室空間１６ｂに十分に供給できないおそれがある。逆に、給気手段２６の給気量が、前記通常換気の給気量の２．０倍を超えると、１階の空調装置３６ａ、又は、２階の空調装置３６ｂを運転させている場合、空調効率が低下するおそれがある。
【００６８】
なお、排気手段２７の排気量は、前記通常換気の排気量から増加させていない。これは、例えば、気密レベルが５．０cm2/ｍ2以下の建物Ｂにおいて、給気手段２６の給気量のみを増加させても、建物Ｂの隙間から排気させることができるためである。従って、本実施形態の空調システムでは、排気手段２７の排気量増加によるランニングコストの増大を防ぐことができる。
【００６９】
次に、制御手段４３は、床下空気利用工程Ｓ３の開始から予め定められた第１冷却時間が経過する前に、制御手段４３が、第１冷却時間経過後の２階の居室空間１６ｂの温度を予測する（工程Ｓ４）。工程Ｓ４では、先ず、床下空気利用工程Ｓ３の開始から、第１冷却時間が経過するまでの所定時間、２階の居室空間１６ｂの温度が記録される。次に、記録された２階の居室空間１６ｂの温度に基づいて、２階の居室空間１６ｂの温度の下降速度が計算される。そして、２階の居室空間１６ｂの温度の下降速度に基づいて、第１冷却時間経過後の２階の居室空間１６ｂの温度を予測される。
【００７０】
第１冷却時間としては、床下空気利用工程Ｓ３の開始から２階の居室空間１６ｂの温度を確実に低下させる観点より、例えば、３０分〜８０分程度（本実施形態では、６０分）に設定されるのが望ましい。また、工程Ｓ４において、２階の居室空間１６ｂの温度を記録する時間については、第１冷却時間よりも短ければ、適宜設定することができる。本実施形態では、２階の居室空間１６ｂの温度の予測精度を維持するために、例えば、５分〜１５分程度（本実施形態では、１０分）に設定されるのが望ましい。
【００７１】
次に、制御手段４３は、予測された２階の居室空間１６ｂの温度が、第１設定温度（本実施形態では、３２℃）以下か否か判断する（工程Ｓ５）。予測された２階の居室空間１６ｂの温度が、第１設定温度以下である場合（工程Ｓ５で「Ｙ」）、２階の居室空間１６ｂの温度を、順調に低下させることができている。従って、制御手段４３は、給気手段２６の給気量を増加させたまま、次の工程Ｓ６を実施する。
【００７２】
一方、予測された２階の居室空間１６ｂの温度が、第１設定温度（本実施形態では、３２℃）よりも高い場合（工程Ｓ５で「Ｎ」）、給気手段２６の給気量を増加させても、２階の居室空間１６ｂの温度を、十分に低下できないと推測できる。従って、制御手段４３は、第１冷却時間（本実施形態では、６０分）の経過を待たずに、後述する第３判断工程Ｓ９（図５に示す）を実施する。
【００７３】
次に、床下空気利用工程Ｓ３の開始から第１冷却時間（本実施形態では、６０分）が経過したか否かが判断される（工程Ｓ６）。この工程Ｓ６では、第１冷却時間が経過したと判断された場合（工程Ｓ６で「Ｙ」）、次の工程Ｓ７が実施される。一方、第１冷却時間が経過していないと判断された場合（工程Ｓ６で「Ｎ」）、第１冷却時間が経過するまで、工程Ｓ６が繰り返し実行される。
【００７４】
このように、本実施形態では、第１冷却時間（本実施形態では、６０分）が経過するまで、次の工程Ｓ７が実施されない。従って、本実施形態の空調システムでは、冷たい床下空気Ａｉを、２階の居室空間１６ｂに供給して、２階の居室空間１６ｂの温度を、確実に低下させることができる。
【００７５】
次に、制御手段４３は、２階の居室空間１６ｂの温度が、第１設定温度（本実施形態では、３２℃）以下であるか否かが判断される（工程Ｓ７）。この工程Ｓ７では、２階の居室空間１６ｂの温度が、第１設定温度以下であると判断された場合（工程Ｓ７で「Ｙ」）、２階の居室空間１６ｂの温度を低下させる必要がない。このため、制御手段４３は、次の後処理工程Ｓ８を実施する。
【００７６】
一方、２階の居室空間１６ｂの温度が、第１設定温度よりも高いと判断された場合（工程Ｓ７で「Ｎ」）、床下空気利用工程Ｓ３の開始から第１冷却時間（本実施形態では、６０分）経過後も、２階の居室空間１６ｂの温度を十分に低下させることができていない。このため、制御手段４３は、後述する第３判断工程Ｓ９（図５に示す）を実施する。
【００７７】
後処理工程Ｓ８では、制御手段４３が、給気手段２６の給気量を、前記通常換気に戻す。後述する１階居室空気利用工程Ｓ１０において、１階の排気手段３１の排気を停止した場合、１階の排気手段３１の排気を開始する。また、後述する外気利用工程Ｓ１６において、小屋裏排気手段３５の排気を行った場合、小屋裏排気手段３５の排気を停止する。さらに、後述する空調装置利用工程Ｓ２１において、２階の空調装置３６ｂを運転させた場合は、２階の空調装置３６ｂの運転を停止する。これにより、後処理工程Ｓ８では、給気手段２６、排気手段２７、小屋裏排気手段３５、及び、２階の空調装置３６ｂを、通常の状態に戻すことができる。
【００７８】
後処理工程Ｓ８が実施された後は、第１判断工程Ｓ１が再度実行される。第１判断工程Ｓ１では、工程Ｓ７と同様に、２階の居室空間１６ｂの温度が、第１設定温度以下であると判断され（第１判断工程Ｓ１で「Ｎ」）、制御手順に基づく処理が終了する。従って、本実施形態の空調システムは、２階の居室空間１６ｂの温度を、第１設定温度以下にすることができる。
【００７９】
次に、図５に示されるように、制御手段４３は、１階の居室空間１６ａの温度が第２設定温度（本実施形態では、２８℃）以下であるか否かを判断する（第３判断工程Ｓ９）。１階の居室空間の温度が第２設定温度以下であると判断された場合（第３判断工程Ｓ９で「Ｙ」）、１階の居室空間１６ａの冷たい空気Ａｒを利用する１階居室空気利用工程Ｓ１０が実施される。
【００８０】
一方、１階の居室空間１６ａの温度が第２設定温度（本実施形態では、２８℃）よりも高いと判断された場合（第３判断工程Ｓ９で「Ｎ」）、１階の居室空間１６ａの空気Ａｒを利用しても、２階の居室空間１６ｂの温度を十分低下させることができない。この場合、制御手段４３は、後述する第４判断工程Ｓ１５（図６に示す）を実施する。
【００８１】
次に、制御手段４３は、１階の排気手段３１の排気を停止し、かつ、２階の排気手段３２の排気を行う（１階居室空気利用工程Ｓ１０）。図７は、１階居室空気利用工程Ｓ１０の作用を説明する断面図である。１階居室空気利用工程Ｓ１０では、１階の居室空間１６ａの空気Ａｒが、１階の排気手段３１から排気されない。このため、１階の居室空間１６ａの空気Ａｒは、１階の第２非居室空間２１ｂを介して、２階の第２非居室空間２２ｂ及び２階の第１非居室空間２２ａに供給され、２階の排気手段３２から排気される。
【００８２】
第３判断工程Ｓ９での判断により、１階の居室空間１６ａの温度は、第２設定温度（本実施形態では、２８℃）以下である。このため、１階の居室空間１６ａの空気Ａｒは、２階の居室空間１６ｂに隣接する２階の第２非居室空間２２ｂの温度を低下させることができる。これにより、２階の居室空間１６ｂの熱が、間仕切り壁１４及び扉１９を介して、２階の第２非居室空間２２ｂに伝達され、２階の居室空間１６ｂの温度を低下させることができる。
【００８３】
１階居室空気利用工程Ｓ１０は、前工程において、床下空気利用工程Ｓ３が実施された場合、２階の居室空間１６ｂへの床下空気Ａｉの供給を継続させたまま実施されるのが望ましい。これにより、２階の居室空間１６ｂの温度は、冷たい床下空気Ａｉと、２階の第２非居室空間２２ｂの低下した温度との双方によって、効果的に低下しうる。
【００８４】
次に、制御手段４３は、１階居室空気利用工程Ｓ１０の開始から予め定められた第２冷却時間が経過する前に、制御手段４３が、第２冷却時間経過後の２階の居室空間１６ｂの温度を予測する（工程Ｓ１１）。工程Ｓ１１では、先ず、１階居室空気利用工程Ｓ１０の開始から、第２冷却時間が経過するまでの所定時間、２階の居室空間１６ｂの温度が記録される。次に、記録された２階の居室空間１６ｂの温度に基づいて、２階の居室空間１６ｂの温度の下降速度が計算される。そして、２階の居室空間１６ｂの温度の下降速度等に基づいて、第２冷却時間経過後の２階の居室空間１６ｂの温度を予測される。
【００８５】
第２冷却時間としては、２階の第２非居室空間２２ｂの温度を低下させ、さらに、２階の居室空間１６ｂの温度を低下させる観点より、例えば、３０分〜８０分程度（本実施形態では、６０分）に設定されるのが望ましい。また、工程Ｓ１１において、２階の居室空間１６ｂの温度を記録する時間については、第２冷却時間よりも短ければ、適宜設定することができる。本実施形態では、前記工程Ｓ４と同一の観点より、例えば、５分〜１５分程度（本実施形態では、１０分）に設定されるのが望ましい。
【００８６】
次に、制御手段４３は、予測された２階の居室空間１６ｂの温度が、第１設定温度（本実施形態では、３２℃）以下か否か判断する（工程Ｓ１２）。予測された２階の居室空間１６ｂの温度が、第１設定温度以下である場合（工程Ｓ１２で「Ｙ」）、２階の居室空間１６ｂの温度を、順調に低下できている。従って、制御手段４３は、１階の居室空間１６ａの冷たい空気Ａｒを、２階の第２非居室空間２２ｂに供給させたまま、次の工程Ｓ１３を実施する。
【００８７】
一方、予測された２階の居室空間１６ｂの温度が、第１設定温度（本実施形態では、３２℃）よりも高い場合（工程Ｓ１２で「Ｎ」）、１階の居室空間１６ａの空気Ａｒを、２階の第２非居室空間２２ｂに供給しても、２階の居室空間１６ｂの温度を、十分に低下できないと推測できる。従って、制御手段４３は、第２冷却時間（本実施形態では、６０分）の経過を待たずに、後述する第４判断工程Ｓ１５（図６に示す）を実施する。
【００８８】
次に、床下空気利用工程Ｓ３の開始から第２冷却時間（本実施形態では、６０分）が経過したか否かが判断される（工程Ｓ１３）。この工程Ｓ１３では、第２冷却時間が経過したと判断された場合（工程Ｓ１３で「Ｙ」）、次の工程Ｓ１４が実施される。一方、第２冷却時間が経過していないと判断された場合（工程Ｓ１３で「Ｎ」）、第２冷却時間が経過するまで、工程Ｓ１３が繰り返し実行される。
【００８９】
このように、本実施形態では、第２冷却時間（本実施形態では、６０分）が経過するまで、次の工程Ｓ１４が実施されない。従って、本実施形態の空調システムでは、１階の居室空間１６ａの冷たい空気Ａｒを、２階の第２非居室空間２２ｂに供給して、２階の第２非居室空間２２ｂ及び２階の居室空間１６ｂの温度を、確実に低下させることができる。
【００９０】
次に、制御手段４３は、２階の居室空間１６ｂの温度が、第１設定温度（本実施形態では、３２℃）以下であるか否かが判断される（工程Ｓ１４）。この工程Ｓ１４では、２階の居室空間１６ｂの温度が、第１設定温度以下であると判断された場合（工程Ｓ１４で「Ｙ」）、２階の居室空間１６ｂの温度を低下させる必要がない。このため、図４に示されるように、制御手段４３は、前記後処理工程Ｓ８を実施した後に、第１判断工程Ｓ１を再度実行する。第１判断工程Ｓ１では、工程Ｓ１４と同様に、２階の居室空間１６ｂの温度が、第１設定温度以下であると判断され（第１判断工程Ｓ１で「Ｎ」）、制御手順に基づく処理が終了する。従って、本実施形態の空調システムは、２階の居室空間１６ｂの温度が、第１設定温度以下なるように制御することができる。
【００９１】
一方、２階の居室空間１６ｂの温度が、第１設定温度よりも高いと判断された場合（工程Ｓ１４で「Ｎ」）、２階の居室空間１６ｂの温度を低下させることができていない。このため、制御手段４３は、次の第４判断工程Ｓ１５（図６に示す）を実施する。
【００９２】
図６に示されるように、次に、制御手段４３は、外気Ａｏの温度が、第２設定温度（本実施形態では、２８℃）以下であるか否かを判断する（第４判断工程Ｓ１５）。外気Ａｏの温度が、第２設定温度以下であると判断された場合（第４判断工程Ｓ１５で「Ｙ」）、冷たい外気Ａｏを利用する外気利用工程Ｓ１６が実施される。
【００９３】
一方、外気Ａｏの温度が、第２設定温度（本実施形態では、２８℃）よりも高いと判断された場合（第４判断工程Ｓ１５で「Ｎ」）、外気Ａｏを利用しても、第２居室空間１６の温度を十分低下させることができない。この場合、制御手段４３は、後述する空調装置利用工程Ｓ２１を実施する。
【００９４】
次に、制御手段４３は、小屋裏排気手段３５による排気を行う（外気利用工程Ｓ１６）。図８は、外気利用工程Ｓ１６の作用を説明する断面図である。外気利用工程Ｓ１６では、２階の第２非居室空間２２ｂの空気Ａｒが排気されることによって、２階の第２非居室空間２２ｂが負圧となり、建物Ｂの隙間から外気Ａｏが供給される。
【００９５】
第４判断工程Ｓ１５での判断により、外気Ａｏの温度は、第２設定温度（本実施形態では、２８℃）以下である。このため、外気Ａｏは、２階の居室空間１６ｂに隣接する２階の第２非居室空間２２ｂの温度を低下させることができる。これにより、２階の居室空間１６ｂの熱が、間仕切り壁１４及び扉１９を介して、２階の第２非居室空間２２ｂに伝達され、２階の居室空間１６ｂの温度を低下させることができる。
【００９６】
外気利用工程Ｓ１６は、前工程において、床下空気利用工程Ｓ３が実施された場合、２階の居室空間１６ｂへの床下空気Ａｉの供給を継続させたまま実施されるのが望ましい。これにより、２階の居室空間１６ｂの温度は、冷たい床下空気Ａｉと、２階の第２非居室空間２２ｂの低下した温度との双方によって、効果的に低下しうる。
【００９７】
さらに、外気利用工程Ｓ１６は、前工程において、１階居室空気利用工程Ｓ１０が実施された場合、２階の第２非居室空間２２ｂへの１階の居室空間１６ａの空気Ａｒの供給を継続させたまま実施されてもよい。これにより、２階の第２非居室空間２２ｂの温度は、１階の居室空間１６ａの空気Ａｒと、外気Ａｏとの双方によって、効果的に低下しうるため、２階の居室空間１６ｂの温度を効果的に低下させることができる。
【００９８】
次に、制御手段４３は、外気利用工程Ｓ１６の開始から予め定められた第３冷却時間が経過する前に、制御手段４３が、第３冷却時間経過後の２階の居室空間１６ｂの温度を予測する（工程Ｓ１７）。工程Ｓ１７では、先ず、外気利用工程Ｓ１６の開始から、第３冷却時間が経過するまでの所定時間、２階の居室空間１６ｂの温度が記録される。次に、記録された２階の居室空間１６ｂの温度に基づいて、２階の居室空間１６ｂの温度の下降速度が計算される。そして、２階の居室空間１６ｂの温度の下降速度等に基づいて、第３冷却時間経過後の２階の居室空間１６ｂの温度を予測される。
【００９９】
第３冷却時間としては、２階の第２非居室空間２２ｂの温度を低下させ、さらに、２階の居室空間１６ｂの温度を低下させる観点より、例えば、３０分〜８０分程度（本実施形態では、６０分）に設定されるのが望ましい。また、工程Ｓ１７において、２階の居室空間１６ｂの温度を記録する時間については、第３冷却時間よりも短ければ、適宜設定することができる。本実施形態では、前記工程Ｓ４や前記工程Ｓ１１と同一の観点より、例えば、５分〜１５分程度（本実施形態では、１０分）に設定されるのが望ましい。
【０１００】
次に、制御手段４３は、予測された２階の居室空間１６ｂの温度が、第１設定温度（本実施形態では、３２℃）以下か否か判断する（工程Ｓ１８）。予測された２階の居室空間１６ｂの温度が、第１設定温度以下である場合（工程Ｓ１８で「Ｙ」）、２階の居室空間１６ｂの温度を、順調に低下できている。従って、制御手段４３は、冷たい外気Ａｏを、２階の第２非居室空間２２ｂに供給させたまま、次の工程Ｓ１９を実施する。
【０１０１】
一方、予測された２階の居室空間１６ｂの温度が、第１設定温度（本実施形態では、３２℃）よりも高い場合（工程Ｓ１８で「Ｎ」）、２階の第２非居室空間２２ｂに外気Ａｏを供給しても、２階の居室空間１６ｂの温度を、十分に低下することができないと推測できる。従って、制御手段４３は、第２冷却時間（本実施形態では、６０分）の経過を待たずに、後述する空調装置利用工程Ｓ２１を実施する。
【０１０２】
次に、外気利用工程Ｓ１６の開始から第３冷却時間（本実施形態では、６０分）が経過したか否かが判断される（工程Ｓ１９）。この工程Ｓ１９では、第３冷却時間が経過したと判断された場合（工程Ｓ１９で「Ｙ」）、次の工程Ｓ２０が実施される。一方、第３冷却時間が経過していないと判断された場合（工程Ｓ１９で「Ｎ」）、第３冷却時間が経過するまで、工程Ｓ１９が繰り返し実行される。
【０１０３】
このように、本実施形態では、第３冷却時間（本実施形態では、６０分）が経過するまで、次の工程Ｓ２０が実施されない。従って、本実施形態の空調システムでは、冷たい外気Ａｏを、２階の第２非居室空間２２ｂに供給して、２階の第２非居室空間２２ｂ及び２階の居室空間１６ｂの温度を、確実に低下させることができる。
【０１０４】
次に、制御手段４３は、２階の居室空間１６ｂの温度が、第１設定温度（本実施形態では、３２℃）以下であるか否かが判断される（工程Ｓ２０）。この工程Ｓ２０では、２階の居室空間１６ｂの温度が、第１設定温度以下であると判断された場合（工程Ｓ２０で「Ｙ」）、２階の居室空間１６ｂの温度を低下させる必要がない。このため、制御手段４３は、図４に示されるように、前記後処理工程Ｓ８を実施した後に、第１判断工程Ｓ１を再度実行する。第１判断工程Ｓ１では、工程Ｓ２０と同様に、２階の居室空間１６ｂの温度が、第１設定温度以下であると判断され（第１判断工程Ｓ１で「Ｎ」）、制御手順に基づく処理が終了する。従って、本実施形態の空調システムは、２階の居室空間１６ｂの温度が、第１設定温度以下なるように制御することができる。
【０１０５】
一方、２階の居室空間１６ｂの温度が、第１設定温度よりも高いと判断された場合（工程Ｓ２０で「Ｎ」）、２階の居室空間１６ｂの温度を低下させることができていない。このため、制御手段４３は、次の空調装置利用工程Ｓ２１を実施する。
【０１０６】
次に、制御手段４３は、２階の空調装置３６ｂを運転させて２階の居室空間１６ｂを冷房する（空調装置利用工程Ｓ２１）。図９は、空調装置利用工程Ｓ２１の作用を説明する断面図である。空調装置利用工程Ｓ２１では、２階の居室空間１６ｂを直接冷房している。このため、空調装置利用工程Ｓ２１では、２階の居室空間１６ｂの温度を確実に低下させることができる。
【０１０７】
空調装置利用工程Ｓ２１は、前工程において、床下空気利用工程Ｓ３が実施された場合、２階の居室空間１６ｂへの床下空気Ａｉの供給を継続させたまま実施されてもよい。これにより、２階の居室空間１６ｂの熱い空気Ａｒを効果的に排気できるため、空調効率を高めることができる。
【０１０８】
また、空調装置利用工程Ｓ２１は、前工程において、１階居室空気利用工程Ｓ１０が実施された場合、２階の第２非居室空間２２ｂへの１階の居室空間１６ａの空気Ａｒの供給を継続させたまま実施されてもよい。さらに、空調装置利用工程Ｓ２１は、前工程において、外気利用工程Ｓ１６が実施された場合、２階の第２非居室空間２２ｂへの外気Ａｏの供給を継続させたまま実施されてもよい。これにより、本実施形態では、２階の空調装置３６ｂと、２階の第２非居室空間２２ｂの温度との双方によって、２階の第２居室空間１６ｂの温度を効果的に低下しうる。
【０１０９】
次に、制御手段４３は、２階の居室空間１６ｂの温度が、第１設定温度（本実施形態では、３２℃）以下であるか否かが判断される（工程Ｓ２２）。この工程Ｓ２２では、２階の居室空間１６ｂの温度が、第１設定温度以下であると判断された場合（工程Ｓ２２で「Ｙ」）、２階の居室空間１６ｂの温度を低下させる必要がない。このため、制御手段４３は、図４に示されるように、前記後処理工程Ｓ８を実施した後に、第１判断工程Ｓ１が再度実行する。第１判断工程Ｓ１では、工程Ｓ２２と同様に、２階の居室空間１６ｂの温度が、第１設定温度以下であると判断され（第１判断工程Ｓ１で「Ｎ」）、制御手順に基づく処理が終了する。従って、本実施形態の空調システムは、２階の居室空間１６ｂの温度が、第１設定温度以下なるように制御することができる。
【０１１０】
一方、２階の居室空間１６ｂの温度が、第１設定温度よりも高いと判断された場合（工程Ｓ２２で「Ｎ」）、２階の居室空間１６ｂの温度を十分に低下させることができていない。このため、制御手段４３は、２階の居室空間１６ｂの温度が第１設定温度以下になるまで、工程Ｓ２２を繰り返し実施する。
【０１１１】
このように、本実施形態の空調システムでは、床下空気Ａｉを利用して２階の居室空間１６ｂの温度を十分に低下できない場合であっても、１階の居室空間１６ａの空気Ａｒ、外気Ａｏ、及び、２階の空調装置３６ｂを利用することにより、２階の居室空間１６ｂの温度を確実に低下させることができる。従って、本実施形態の空調システムは、２階の居室空間１６ｂでの熱中症を抑制することができる。
【０１１２】
本実施形態の空調システムにおいて、上記のような制御手順（２階の居室空間１６ｂの冷房）が実行される時刻については、適宜設定することができる。例えば、２階の居室空間１６ｂの温度が第１設定温度（本実施形態では、３２℃）を超える可能がある６時〜２４時に実施されるのが望ましい。また、制御手順は、図４、図５及び図６において、スタートからエンドまでの一連の処理が終了しても、上記時刻の間、繰り返し実行される。これにより、時々刻々と温度が変化する２階の居室空間１６ｂの温度を低下させることができる。
【０１１３】
また、本実施形態の制御手順は、冷たい床下空気Ａｉを利用して、２階の居室空間１６ｂの温度を効果的に低下させるものが例示されたが、これに限定されるわけではない。例えば、冷たい床下空気Ａｉを利用して、１階の居室空間１６ａの温度を低下させるものでもよい。この場合、図４、図５及び図６に示すフローチャートにおいて、１階居室空気利用工程Ｓ１０を除く各工程を、１階の居室空間１６ａの温度に基づいて実施すればよい。さらに、制御手順は、１階の居室空間１６ａの温度、及び、２階の居室空間１６ｂの温度の双方を低下させるものでもよい。
【０１１４】
以上、本発明の特に好ましい実施形態について詳述したが、本発明は図示の実施形態に限定されることなく、種々の態様に変形して実施しうる。
【実施例】
【０１１５】
図１及び図２に示す基本構造を有する建物（実施例１、実施例２）が、コンピュータで取り扱い可能なモデルとして、コンピュータに入力された。実施例１では、図４〜図６に示したフローチャートのうち、空調装置利用工程Ｓ２１及び工程Ｓ２２を除いた手順に従って、２階の居室空間の冷房シミュレーションが実施された。一方、実施例２では、空調装置利用工程Ｓ２１及び工程Ｓ２２を含む手順に従って、２階の居室空間の冷房シミュレーションが実施された。そして、実施例１及び実施例２において、２階の居室空間の温度が計算された。
【０１１６】
また、図１に示した基本構造を有し、かつ、排気のみを機械的に実施する第３種換気方式が採用された建物（比較例）が、コンピュータで取り扱い可能なモデルとして、コンピュータに入力された。比較例の建物では、実施例１及び実施例２の建物とは異なり、基礎断熱材の代わりに、床断熱材が採用されている。そして、比較例のモデルを用いて、２階の居室空間の温度を計算するシミュレーションが実施された。シミュレーション条件は次のとおりである。また、テストの結果を表１に示す。
【０１１７】
・ソフトウェア：建築環境ソリューションズ社製の「温熱環境シミュレーションプログラム（ＡＥ−Ｓｉｍ／Ｈｅａｔ）
・気象データ：ＳＭＡＳＨ気象データ（大阪府）
・気象データの期間：６月１５日〜９月１５日（９２日間）
・最暑日：８月１１日
・プラン：居室の床面積：１２３ｍ2
・実施例１、実施例２：
・第１設定温度：３２℃
・第２設定温度：２８℃
・通常換気：
・給気手段の給気量：１５０ｍ3／ｈ
・排気手段の排気量：１５０ｍ3／ｈ
・床下空気利用工程：
・給気手段の給気量：２５０ｍ3／ｈ
・排気手段の排気量：１５０ｍ3／ｈ
・小屋裏排気手段の排気量：２５０ｍ3／ｈ
・第１冷却時間、第２冷却時間、第３冷却時間：６０分
・２階の居室空間の温度を予測するための温度記録時間：１０分
・居室空間の冷房（制御手順）が実行される時刻：０時〜２４時
・空調装置の設定温度：２７℃
・比較例：
・排気手段の排気量：１５０ｍ3／ｈ
【０１１８】
【表１】
2015068546.tif 000003
【０１１９】
テストの結果、実施例１及び実施例２では、比較例に比べて、２階の居室空間の温度を効果的に低下しうることが確認できた。また、実施例１及び実施例２では、比較例に比べて、１階の居室空間の温度も効果的に低下しうることが確認できた。
【０１２０】
さらに、空調装置利用工程Ｓ２１が実施される実施例２では、全ての期間において、１階の居室空間の温度、及び、２階の居室空間の温度を、第１設定温度（３２℃）以下に保持しうることが確認できた。
【符号の説明】
【０１２１】
４      床下空間
１６      居室空間
２４      換気手段
２６      給気手段
２７      排気手段
４３      制御手段
【図１】
2015068546.tif 000004
【図２】
2015068546.tif 000005
【図３】
2015068546.tif 000006
【図４】
2015068546.tif 000007
【図５】
2015068546.tif 000008
【図６】
2015068546.tif 000009
【図７】
2015068546.tif 000010
【図８】
2015068546.tif 000011
【図９】
2015068546.tif 000012